(57)【要約】      （修正有）【課題】回動可能なカバーにより開放された搬送路へのアクセスが容易な手段を提供する。【解決手段】複合機は、湾曲部分３３及び延出部分３４を有する筐体と、延出部分３４を搬送される記録用紙に画像を記録する記録部２４と、湾曲部分３３の外側を規定するとともに、搬送向き１５上流側を軸９０とし且つ下流側を回動先端側として回動可能なガイド部材３０とを備える。ガイド部材３０は、軸９０側の外側ガイド部材１８と回動先端側のローラホルダ８５とを有する。外側ガイド部材１８は、湾曲部分３３を規定する第１位置と湾曲部分３３を開放する第２位置とに回動可能である。ローラホルダ８５は、外側ガイド部材１８に回動可能に連結され、外側ガイド部材１８が第１位置のときに湾曲部分３３を規定する第３位置と、外側ガイド部材１８が第２位置のときに外側ガイド部材１８から後方へ延出する第４位置とに回動可能である。【選択図】図６
2015196548.tif 000002
【特許請求の範囲】
【請求項１】
上側へ湾曲した湾曲部分及び当該湾曲部分に連続する延出部分を有する搬送路を有する筐体と、
上記搬送路の延出部分を搬送されるシートに画像を記録する記録部と、
上記記録部より搬送向きの上流側に配置されており、上記搬送路の湾曲部分の外側の少なくとも一部を規定するとともに、上記搬送向きの上流側を軸とし且つ上記搬送向きの下流側を回動先端側として回動可能なガイド部材と、を具備しており、
上記ガイド部材は、上記軸側の第１ガイド部材と、上記回動先端側の第２ガイド部材と、を有しており、
上記第１ガイド部材は、上記湾曲部分を規定する第１位置と、上記湾曲部分を開放する第２位置と、に回動可能であり、
上記第２ガイド部材は、上記第１ガイド部材に回動可能に連結されており、上記第１ガイド部材が上記第１位置にあるときに上記湾曲部分を規定する第３位置と、上記第１ガイド部材が上記第２位置にあるときに当該第１ガイド部材が規定する湾曲部分の外側へ向かって延出する第４位置と、に回動可能である画像記録装置。
【請求項２】
上記第２ガイド部材は、上記湾曲部分及び上記延出部分の少なくとも一部を規定する請求項１に記載の画像記録装置。
【請求項３】
上記搬送路において上記記録部より上記搬送向きの上流側に配置された第１ローラと、当該第１ローラと対向して配置された第２ローラと、を更に具備しており、
上記第１ローラは、上記筐体内に支持されており、
上記第２ローラは、上記第２ガイド部材に支持されており、上記第１ガイド部材が上記第１位置にあり、且つ上記第２ガイド部材が上記第３位置にあるときに上記第１ローラと対向し、上記第１ガイド部材が上記第２位置にあるときに上記第１ローラから離間する請求項１又は２に記載の画像記録装置。
【請求項４】
シートを支持するトレイと、当該トレイからシートを上記搬送路に沿って給送する給送ローラと、を更に具備し、
上記湾曲部分は、上記トレイから上方へ延びている請求項１から３のいずれかに記載の画像記録装置。
【請求項５】
上記トレイは、上記筐体の底部側に配置されたものであり、
上記第１ガイド部材の回動軸は、上記底部側にある請求項４に記載の画像記録装置。
【請求項６】
上記第１ガイド部材は、上記筐体の側壁を有する請求項１から５のいずれかに記載の画像記録装置。
【請求項７】
上記筐体は、上記第２ガイド部材の上方を覆う上壁を有しており、
上記上壁は、上記第１ガイド部材と共には回動しない請求項６に記載の画像記録装置。
【請求項８】
上記搬送路において上記記録部より上記搬送向きの上流側に配置されて上記搬送路を搬送されるシートに当接する当接部材を更に具備しており、
上記当接部材は、上記第２ガイド部材に支持されており、上記第２ガイド部材が上記第３位置にあるときに上記搬送路を搬送されるシートに当接し、上記第２ガイド部材が上記第４位置にあるときに上記搬送路から離間する請求項１から７のいずれかに記載の画像記録装置。
【発明の詳細な説明】
【技術分野】
【０００１】
本発明は、搬送路に沿ってシートを搬送して画像記録を行う画像記録装置に関する。
【背景技術】
【０００２】
装置筐体の内部に搬送経路が設けられており、搬送経路に沿って搬送されるシートに画像を記録する画像記録装置が知られている。画像記録装置の小型化の要請により、装置筐体において搬送路が湾曲していることが多い。装置筐体には、メンテナンスや搬送路における紙詰まりなどを解消するために、ユーザが搬送路にアクセス可能な開口が形成されており、当該開口がカバーにより開閉可能となっている（特許文献１，２）。カバーは、紛失などが生じないように、筐体に回動可能に支持されている。
【先行技術文献】
【特許文献】
【０００３】
【特許文献１】特開２０１０−８３６３６号公報
【特許文献２】特開２００７−１８２３１６号公報
【発明の概要】
【発明が解決しようとする課題】
【０００４】
前述されたカバーが、搬送路において複数の箇所に設けられていると、例えば紙詰まりが生じたときに、開放すべきカバーをユーザに報知することが必要となる。したがって、ユーザが開閉するカバーの数は、なるべく少なくすることが望ましい。他方、１つのカバーを開放することによって、搬送路の大部分が開放されるように構成すると、カバーが大きくなり、回動されたカバーが搬送路へのアクセス経路に重なるようにレイアウトせざるを得ないことが生じる。これにより、搬送路へのアクセスがし難くなったり、搬送路を視認し難くなったりする。
【０００５】
本発明は、上記問題に鑑みてなされたものであり、その目的は、回動可能なカバーにより搬送路を開放することができ、かつ開放された搬送路へのアクセスが容易な手段を提供することにある。
【課題を解決するための手段】
【０００６】
(1)  本発明に係る画像記録装置は、上側へ湾曲した湾曲部分及び当該湾曲部分に連続する延出部分を有する搬送路を有する筐体と、上記搬送路の延出部分を搬送されるシートに画像を記録する記録部と、上記記録部より搬送向きの上流側に配置されており、上記搬送路の湾曲部分の外側の少なくとも一部を規定するとともに、上記搬送向きの上流側を軸とし且つ上記搬送向きの下流側を回動先端側として回動可能なガイド部材と、を具備する。上記ガイド部材は、上記軸側の第１ガイド部材と、上記回動先端側の第２ガイド部材と、を有する。上記第１ガイド部材は、上記湾曲部分を規定する第１位置と、上記湾曲部分を開放する第２位置と、に回動可能である。上記第２ガイド部材は、上記第１ガイド部材に回動可能に連結されており、上記第１ガイド部材が上記第１位置にあるときに上記湾曲部分を規定する第３位置と、上記第１ガイド部材が上記第２位置にあるときに当該第１ガイド部材が規定する湾曲部分の外側へ向かって延出する第４位置と、に回動可能である。
【０００７】
第１ガイド部材が第１位置であり、かつ第２ガイド部材が第３位置であるときに、給送位置から記録部へ連続する搬送路が規定される。第１ガイド部材が第２位置であるときに、搬送路の湾曲部分が開放される。第２ガイド部材が第４位置であるときに、第１ガイド部材の湾曲部分の外側へ第２ガイド部材が延出するので、第１ガイド部材の回動先端側が大きく開放される。
【０００８】
(2)  好ましくは、上記第２ガイド部材は、上記湾曲部分及び上記延出部分の少なくとも一部を規定する。
【０００９】
(3)  好ましくは、上記画像記録装置は、上記搬送路において上記記録部より上記搬送向きの上流側に配置された第１ローラと、当該第１ローラと対向して配置された第２ローラと、を更に具備しており、上記第１ローラは、上記筐体内に支持されており、上記第２ローラは、上記第２ガイド部材に支持されており、上記第１ガイド部材が上記第１位置にあり、且つ上記第２ガイド部材が上記第３位置にあるときに上記第１ローラと対向し、上記第１ガイド部材が上記第２位置にあるときに上記第１ローラから離間する。
【００１０】
第１ガイド部材が第２位置であるときに、搬送路の湾曲部が開放されるとともに、第１ローラと第２ローラとのニップが解除される。
【００１１】
(4)  好ましくは、上記画像記録装置は、シートを支持するトレイと、当該トレイからシートを上記搬送路に沿って給送する給送ローラと、を更に具備し、上記湾曲部分は、上記トレイから上方へ延びている。
【００１２】
これにより、トレイから記録部までの搬送路が、第１ガイド部材及び第２ガイド部材によって開放可能となる。
【００１３】
(5)  好ましくは、上記トレイは、上記筐体の底部側に配置されたものであり、上記第１ガイド部材の回動軸は、上記底部側にある。
【００１４】
トレイが筐体の底部側に配置されており、底部より下方に第１ガイド部材が回動できないときであっても、第２ガイド部材が第４位置であるときに搬送路の大部分が大きく開放される。
【００１５】
(6)  好ましくは、上記第１ガイド部材は、上記筐体の側壁を有する。
【００１６】
第１ガイド部材が第２位置であるときに、筐体の側壁側から搬送路へアクセス可能となる。
【００１７】
(7)  好ましくは、上記筐体は、上記第２ガイド部材の上方を覆う上壁を有しており、上記上壁は、上記第１ガイド部材と共には回動しない。
【００１８】
第２ガイド部材の上方が開放されない構成においても、側壁側から搬送路へアクセス可能なる。
【００１９】
(8)  上記画像記録装置は、上記搬送路において上記記録部より上記搬送向きの上流側に配置されて上記搬送路を搬送されるシートに当接する当接部材を更に具備しており、上記当接部材は、上記第２ガイド部材に支持されており、上記第２ガイド部材が上記第３位置にあるときに上記搬送路を搬送されるシートに当接し、上記第２ガイド部材が上記第４位置にあるときに上記搬送路から離間するものであってもよい。
【００２０】
第１ガイド部材が第２位置であるときに、搬送路の湾曲部が開放されるとともに、当接部材が搬送路から離間される。
【発明の効果】
【００２１】
本発明によれば、第１ガイド部材及び第２ガイド部材により搬送路の大部分を開放することができ、かつ第２ガイド部材が第１ガイド部材に回動可能に設けられていることにより、開放された搬送路へのアクセスが容易となる。
【図面の簡単な説明】
【００２２】
【図１】図１は、本発明の実施形態の一例である複合機１０の斜視図である。
【図２】図２は、外側ガイド部材１８が第１位置且つローラホルダ８５が第３位置のときのプリンタ部１１の内部構造を示す縦断面図である。
【図３】図３は、図２におけるローラホルダ８５周辺の拡大図である。
【図４】図４は、図２よりも外側ガイド部材１８が第２位置側にあるときのプリンタ部１１の内部構造を示す縦断面図である。
【図５】図５は、図４よりも外側ガイド部材１８が第２位置側にあるときのプリンタ部１１の内部構造を示す縦断面図である。
【図６】図６は、外側ガイド部材１８が第２位置且つローラホルダ８５が第４位置のときのプリンタ部１１の内部構造を示す縦断面図である。
【図７】図７は、外側ガイド部材１８が第１位置のときのガイド部材８６を備えたプリンタ部１１の内部構造を模式的に示す縦断面図である。
【図８】図８は、外側ガイド部材１８が第２位置のときのガイド部材８６を備えたプリンタ部１１の内部構造を模式的に示す縦断面図である。
【発明を実施するための形態】
【００２３】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００２４】
［複合機１０の全体構造］
図１に示されるように、複合機１０は、概ね直方体形状の外観の筐体１４を備えている。複合機１０は、ファクシミリ機能及びプリント機能などの各種の機能を有している。
【００２５】
筐体１４の上部にスキャナ部１２が設けられている。スキャナ部１２は、所謂フラットベッドスキャナとして構成されているが、ここでは、スキャナ部１２の内部構成の詳細な説明は省略される。
【００２６】
筐体１４の下部にプリンタ部１１（本発明の画像記録装置の一例）が設けられている。プリンタ部１１は、インクジェット方式で記録用紙に画像を記録するプリント機能を有している。筐体１４の内部に、給送トレイ２０、給送部１６、搬送路６５、記録部２４、各ローラ対５９、４４、各ガイド部材１８、１９、３１、ローラホルダ８５、及び当接部材４１などが配置されている。
【００２７】
［給送トレイ２０］
図１に示されるように、プリンタ部１１の正面には、開口１３が形成されている。給送トレイ２０（本発明のトレイの一例）が、前後方向８に沿って、開口１３を介してプリンタ部１１に挿入及び脱抜可能である。給送トレイ２０は、プリンタ部１１に挿入された状態において、筐体１４の下側（底部側）に配置されている。給送トレイ２０は、上側が開放された箱形状の部材である。給送トレイ２０の底板２２（図２参照）には、記録用紙が重ねられた状態で支持される。
【００２８】
図１に示されるように、給送トレイ２０の前側には、排出トレイ２１が支持されている。排出トレイ２１は、給送トレイ２０と一体に前後方向８に移動する。排出トレイ２１の上面には、記録部２４によって画像を記録された記録用紙が排出される。
【００２９】
［給送部１６］
図２に示されるように、給送部１６は、プリンタ部１１に挿入された状態の給送トレイ２０の上方であって記録部２４の下方に設けられている。給送部１６は、給送ローラ２５、給送アーム２６、及び駆動伝達機構２７を備えている。給送ローラ２５は、給送アーム２６の先端部で軸支されている。給送アーム２６は、基端部に設けられた支軸２８を中心として、矢印２９の方向に回動する。これにより、給送ローラ２５は、給送トレイ２０または給送トレイ２０に支持された記録用紙に対して、当接及び離間が可能である。
【００３０】
給送ローラ２５は、複数のギヤが噛合されてなる駆動伝達機構２７によって、モータ（不図示）の駆動力が伝達されて回転する。これにより、底板２２に支持された記録用紙のうち、給送ローラ２５と当接している最も上側の記録用紙が、搬送路６５に沿って給送される。なお、駆動伝達機構２７は、複数のギヤが噛合されている形態に限らず、例えば支軸２８と給送ローラ２５の軸とに架け渡されたベルトであってもよい。
【００３１】
［搬送路６５］
図２に示されるように、給送トレイ２０の後端部から搬送路６５が延出されている。搬送路６５は、湾曲部分３３及び延出部分３４を有する。湾曲部分３３は、給送トレイ２０の後端部から上方且つ前方へ湾曲しつつ延びている。延出部分３４は、湾曲部分３３の上端と連続しており前後方向８に沿って延びている。
【００３２】
湾曲部分３３は、所定間隔を隔てて互いに対向する外側ガイド部材１８（本発明の第１ガイド部材の一例）、ローラホルダ８５（本発明の第２ガイド部材の一例）、及び傾斜板２３と、内側ガイド部材１９とによって規定されている。延出部分３４は、ローラホルダ８５、記録部２４、及び上側ガイド部材３１と、内側ガイド部材１９及びプラテン４２とによって規定されている。換言すれば、ローラホルダ８５は、湾曲部分３３及び延出部分３４の少なくとも一部を規定している。なお、ローラホルダ８５は、湾曲部分３３または延出部分３４の一方のみの少なくとも一部を規定していてもよい。
【００３３】
給送トレイ２０に支持された記録用紙は、給送ローラ２５によって傾斜板２３へ向かって給送される。傾斜板２３に当接した記録用紙は、傾斜板２３によって上方へ進行向きが変えられて湾曲部分３３へ進入する。湾曲部分２２へ進入した記録用紙は、湾曲部分３３を下方から上方へＵターンするように搬送されて搬送ローラ対５９に到達する。搬送ローラ対５９に挟持された記録用紙は、延出部分３４を記録部２４へ向けて前後方向８に搬送される。記録部２４の直下に到達した記録用紙は、記録部２４により画像を記録される。画像記録が行われた記録用紙は、延出部分３４を前後方向８に搬送されて排出トレイ２１に排出される。このようにして、記録用紙は、図２に一点鎖線の矢印で示される搬送向き１５に沿って搬送される。
【００３４】
［記録部２４］
図２に示されるように、記録部２４は、延出部分３４の上方に設けられている。記録部２４の下方且つ記録部２４と対向する位置には、プラテン４２が設けられている。プラテン４２は、その上面から上方へ立設され且つ前後方向８に延設されたリブ４３を備えている。リブ４３は、左右方向９に間隔を空けて複数配置されている。リブ４３は、搬送路６５の延出部分３４を搬送される記録用紙を支持する。
【００３５】
記録部２４は、キャリッジ４０と記録ヘッド３８とを備えている。キャリッジ４０は、前後方向８に間隔を空けて配置された２つのガイドレール５６、５７によって左右方向９へ往復移動可能に支持されている。記録ヘッド３８は、キャリッジ４０に搭載されている。記録ヘッド３８には、インクカートリッジ（不図示）からインクが供給される。記録ヘッド３８の下面３２には、複数のノズル（不図示）が形成されている。キャリッジ４０が左右方向９に移動しているときに、記録ヘッド３８は、ノズルからインク滴をプラテン４２に向けて吐出する。これにより、延出部分３４に沿って搬送される過程でプラテン４２に支持されている記録用紙に画像が記録される。
【００３６】
［当接部材４１］
図２及び図３に示されるように、搬送路６５において記録部２４よりも搬送向き１５の上流側に、当接部材４１が配置されている。当接部材４１は、左右方向９において、間隔を空けて複数配置されている。各当接部材４１は、隣り合うリブ４３の間に配置されている。当接部材４１の基端部４５は、搬送ローラ対５９の後方に位置しており、ローラホルダ８５に支持されている。当接部材４１は、基端部４５から下方且つ前方に湾曲しつつ延びている。
【００３７】
当接部材４１は、搬送向き１５において、ノズル及び搬送ローラ対５９の間まで延びている。当接部材４１の先端部４６は、リブ４３の上端よりも下方に位置している。先端部４６は、延出部分３４を搬送される記録用紙の上面と当接する。記録用紙は、上方から先端部４６に当接され且つ下方からリブ４３に当接されることによって、左右方向９に連続する波形状にされる。
【００３８】
［搬送ローラ対５９及び排出ローラ対４４］
図２及び図３に示されるように、延出部分３４における記録部２４よりも搬送向き１５の上流側には、搬送ローラ対５９が配置されている。延出部分３４における記録部２４よりも搬送向き１５の下流側には、排出ローラ対４４が配置されている。
【００３９】
搬送ローラ対５９は、延出部分３４の下方に配置された搬送ローラ６０（本発明の第１ローラの一例）と、延出部分３４の上方に搬送ローラ６０と対向して配置されたピンチローラ６１（本発明の第２ローラの一例）とを備えている。搬送ローラ６０は、左右方向９を軸方向として回転する。ピンチローラ６１は、左右方向９に間隔を空けて複数設けられている。各ピンチローラ６１は、左右方向９を軸方向として回転する。各ピンチローラ６１は、コイルばね７３によって搬送ローラ６０に押圧されている。
【００４０】
搬送ローラ６０は、筐体１４内において複合機１０を構成するフレーム（不図示）によって回転可能に支持されている。ピンチローラ６１は、ローラホルダ８５に回転可能に支持されている。
【００４１】
排出ローラ対４４は、延出部分３４の下方に配置された排出ローラ６２と、延出部分３４の上方に排出ローラ６２と対向して配置された拍車ローラ６３とを備えている。排出ローラ６２及び拍車ローラ６３は、左右方向９を軸方向として回転する。拍車ローラ６３は、弾性部材（不図示）によって排出ローラ６２に押圧されている。排出ローラ６２は、筐体１４内において複合機１０を構成するフレーム（不図示）によって回転可能に支持されている。拍車ローラ６３は、上側ガイド部材３１に回転可能に支持されている。
【００４２】
搬送ローラ６０及び排出ローラ６２は、モータ（不図示）から駆動力が伝達されて回転する。搬送ローラ対５９に記録用紙が挟持されている状態で搬送ローラ６０が回転すると、当該記録用紙は、搬送ローラ対５９によってプラテン４２上へ向けて搬送向き１５に搬送される。また、排出ローラ対４４に記録用紙が挟持されている状態で排出ローラ６２が回転すると、当該記録用紙は、排出ローラ対４４によって排出トレイ２１上へ向けて搬送向き１５に搬送される。
【００４３】
［ガイドレール５６、５７］
図２に示されるガイドレール５６、５７は、前後方向８及び左右方向９に拡がる概ね板状の部材である。図２及び図３に示されるように、ガイドレール５６は、後端部において上向きに屈曲した後屈曲部５３を備えている。図２に示されるように、ガイドレール５６、５７は、前後方向８に間隔を空けて、ガイドレール５６を後側且つガイドレール５７を前側として配置されている。キャリッジ４０は、ガイドレール５６、５７を跨ぐようにして配置されている。
【００４４】
ガイドレール５７の上面には、公知のベルト機構（不図示）が配置されている。ベルト機構は、ガイドレール５７の左右両端部に配置されたプーリと、当該プーリに架け渡されたベルトとを備えている。ベルトは、キャリッジ４０とキャリッジ４０に駆動力を付与するキャリッジ駆動用モータ（不図示）とに連結されている。キャリッジ駆動用モータが駆動すると、左右方向９への駆動力がベルト機構を介してキャリッジ４０に伝達される。これにより、キャリッジ４０は、左右方向９へ往復移動する。
【００４５】
［ガイド部材３０］
図２に示されるように、記録部２４よりも搬送向き１５の上流側に、ガイド部材３０が配置されている。ガイド部材３０は、外側ガイド部材１８とローラホルダ８５とを備えている。外側ガイド部材１８が、搬送向き１５の上流側に設けられ且つ左右方向９に延びた軸９０（本発明の第１ガイド部材の回動軸の一例）を中心として、矢印９１の方向に回動可能に、複合機１０を構成するフレーム（不図示）によって支持されている。これにより、ガイド部材３０は、搬送向き１５の上流側を軸とし且つ搬送向き１５の下流側を回動先端側として回動する。
【００４６】
外側ガイド部材１８は、ガイド部材３０の軸９０側（湾曲部分３３における搬送向き１５の上流側）に設けられている。ローラホルダ８５は、ガイド部材３０の回動先端側（湾曲部分３３における搬送向き１５の下流側）に設けられている。
【００４７】
湾曲部分３３の外側は、外側ガイド部材１８とローラホルダ８５と傾斜板２３とによって規定されている。なお、湾曲部分３３の外側は、外側ガイド部材１８及びローラホルダ８５のみによって規定されていてもよい。以上より、ガイド部材３０は、湾曲部分３３の外側の少なくとも一部を規定している。
【００４８】
［外側ガイド部材１８］
図２に示されるように、外側ガイド部材１８は、軸９０を中心として、矢印９１の方向に回動可能である。軸９０は、筐体１４の下側（底部側）の位置において、外側ガイド部材１８の左右方向９の両端から外部へ向かって突出されている。軸９０が筐体１４の軸受け（不図示）に支持されることによって、外側ガイド部材１８が筐体１４に回動可能に支持されている。
【００４９】
外側ガイド部材１８は、筐体１４の後面の一部を構成する側壁９２と、側壁９２の前方に配置され且つ側壁９２に支持されたガイド部９３とを備えている。ガイド部９３は、湾曲部分３３側が湾曲した板形状の部材である。
【００５０】
外側ガイド部材１８は、図２に示される第１位置と図６に示される第２位置との間で回動する。外側ガイド部材１８が第１位置にあるとき、ガイド部９３は湾曲部分３３の外側を規定する。一方、外側ガイド部材１８は第２位置にあるときに湾曲部分３３を開放する。複合機１０のユーザは、外側ガイド部材１８を第１位置から第２位置に回動させることにより、湾曲部分３３に詰まった記録用紙を取り出すことができる。
【００５１】
［ローラホルダ８５］
図２及び図３に示されるように、ローラホルダ８５は、ガイドレール５６の下方に配置されている。ローラホルダ８５は、左右方向９に長い部材である。ローラホルダ８５は、その前側において、ピンチローラ６１の各々を回転可能に支持している。
【００５２】
ローラホルダ８５の後端部には、左右方向９に延びた軸９４が設けられている。軸９４が外側ガイド部材１８に支持されることによって、ローラホルダ８５が外側ガイド部材１８と連結されている。ローラホルダ８５は、筐体１４に対して、外側ガイド部材１８と一体に矢印９１の方向に回動可能である。また、図６に示されるように、ローラホルダ８５は、外側ガイド部材１８に対して、軸９４を中心として矢印９５の方向に回動可能である。但し、ローラホルダ８５の前端がガイドレール５６の後端よりも前方に位置するとき（例えば外側ガイド部材１８が第１位置にあるとき）、ローラホルダ８５の回動は、ガイドレール５６によって規制される。
【００５３】
ローラホルダ８５は、図２に示される第３位置と図６に実線で示される第４位置との間で回動する。
【００５４】
図２及び図３に示されるように、外側ガイド部材１８が第１位置にあるとき、ローラホルダ８５は第３位置にある。ローラホルダ８５が第３位置にあるとき、ローラホルダ８５の下面９６の後側は湾曲部分３３の外側を規定し、ローラホルダ８５の下面９６の前側は延出部分３４の上側を規定する。ローラホルダ８５が第３位置にあるとき、各ピンチローラ６１は、搬送ローラ６０と対向しており、上方から搬送ローラ６０と当接している。
【００５５】
ピンチローラ６１と搬送ローラ６０とが当接している状態において、ピンチローラ６１の軸は、搬送ローラ６０の軸よりも前方に位置する。これにより、搬送ローラ対５９によって挟持された記録用紙は、前方斜め下方に搬送され、プラテン４２に押しつけられる。その結果、プラテン４２に支持された記録用紙と記録ヘッド３８との間隔を一定に維持可能である。
【００５６】
図６に示されるように、外側ガイド部材１８が第２位置にあるとき、ローラホルダ８５は、破線で示される位置（以下、第５位置とも記す。）と実線で示される第４位置との間で回動可能である。ローラホルダ８５が第５位置のときの外側ガイド部材１８に対する相対的な位置は、ローラホルダ８５が第３位置のときの外側ガイド部材１８に対する相対的な位置（図６に一点鎖線で示される位置）よりも若干前方である。なお、ローラホルダ８５は、外側ガイド部材１８に設けられたストッパ（不図示）によって、第５位置よりも前方への回動を規制されている。ローラホルダ８５は、第３位置または第５位置から、矢印９７の向きへ回動することにより、第２位置の外側ガイド部材１８よりも後方に位置する。このときのローラホルダ８５が第４位置であり、第４位置のローラホルダ８５は、外側ガイド部材１８が規定する湾曲部分の外側へ向かって延出している。
【００５７】
図２及び図３に示されるように、外側ガイド部材１８が第１位置にあるとき、筐体１４内におけるローラホルダ８５の上方には、ガイドレール５６（本発明の上壁の一例）が配置されている。ガイドレール５６は、筐体１４内において複合機１０を構成するフレーム（不図示）に固定されているため、外側ガイド部材１８と共には回動しない。なお、上壁は、外側ガイド部材１８が第１位置のときにローラホルダ８５の上方を覆うものであれば、ガイドレール５６に限らない。
【００５８】
［コイルばね７３及び係合部材７４］
図２及び図３に示されるように、ローラホルダ８５に、コイルばね７３及び係合部材７４が設けられている。コイルばね７３及び係合部材７４は、左右方向９に間隔を空けて複数設けられている。各コイルばね７３は、ローラホルダ８５に支持されており、各係合部材７４は、コイルばね７３に支持されている。これにより、コイルばね７３は、ローラホルダ８５と係合部材７４との間に介設されている。
【００５９】
コイルばね７３の下端部は、ローラホルダ８５と当接し、コイルばね７３の上端部は、係合部材７４と当接している。係合部材７４の下面が、コイルばね７３の上端部と当接している。係合部材７４の上面は、ガイドレール５６の下面９８と当接している。係合部材７４の上面には、突起７５が形成されている。一方、ガイドレール５６における各係合部材７４に対応する位置には、開口７６が形成されている。
【００６０】
外側ガイド部材１８が第１位置且つローラホルダ８５が第３位置のとき、突起７５は、コイルばね７３に上向きに付勢されることによって、開口７６に挿入されている。これにより、係合部材７４とガイドレール５６とが係合される。このとき、各コイルばね７３は、自然長よりも短く縮んだ状態である。これにより、コイルばね７３は、各ピンチローラ６１を搬送ローラ６０側へ付勢する。その結果、各ピンチローラ６１は、搬送ローラ６０へ押圧される。
【００６１】
なお、本実施形態では、突起７５を上向きに付勢する付勢部材と、ピンチローラ６１を搬送ローラ６０側へ付勢する付勢部材とは、共にコイルばね７３であった。しかし、突起７５を上向きに付勢する付勢部材と、ピンチローラ６１を搬送ローラ６０側へ付勢する付勢部材とは、異なる部材であってもよい。
【００６２】
［ガイド部材３０の回動動作］
以下、ガイド部材３０の回動動作が説明される。図２及び図３に示されるように、外側ガイド部材１８が第１位置のとき、ローラホルダ８５は第３位置である。このとき、係合部材７４がガイドレール５６の開口７６に挿入されている。これにより、ローラホルダ８５は第３位置に位置決めされる。ローラホルダ８５が第３位置にあるときに、当接部材４１の先端部４６は、搬送ローラ対５９による記録用紙の挟持位置よりも下方にある。ローラホルダ８５が第３位置にあるときに、各ピンチローラ６１は、コイルばね７３の付勢力によって搬送ローラ６０と当接している。
【００６３】
外側ガイド部材１８が第１位置から第２位置へ向けて矢印９１の方向に回動されると、ローラホルダ８５は外側ガイド部材１８と一体に後方へ向けて回動する。すると、係合部材７４の突起７５が開口７６の後側面１７と当接して押圧する。これにより、突起７５は、後側面１７から反作用の力を受ける。当該反作用の力によって、コイルばね７３が縮む。これにより、係合部材７４が下方へ移動する。その結果、図４に示されるように、突起７５が開口７６から抜け、係合部材７４とガイドレール５６との係合が解除される。
【００６４】
外側ガイド部材１８が更に第２位置へ向けて回動されると、突起７５は、コイルばね７３の付勢力によってガイドレール５６の下面９８に当接した状態のまま、当該下面９８に沿って後方へ移動する。突起７５が下面９８よりも後方へ移動すると、縮んでいたコイルばね７３が自然長に戻る。
【００６５】
図４に示される状態において、ローラホルダ８５の下面９６は、内側ガイド部材１９に支持された状態である。ローラホルダ８５は、内側ガイド部材１９の延出部分３４側の面に沿って後方へ案内される。当接部材４１及びピンチローラ６１も、ローラホルダ８５と一体に後方へ案内される。これにより、ピンチローラ６１は搬送ローラ６０から離間する。
【００６６】
後方へ案内されたローラホルダ８５の下面９６は、内側ガイド部材１９の延出部分３４側の面から離間して、内側ガイド部材１９の湾曲部分３３側の面に支持された状態となる。ここで、内側ガイド部材１９の湾曲部分３３側の面は、後方斜め下へ向けて湾曲している。よって、ローラホルダ８５は、後方へ案内される程、自重によって下方へ向けて回動する。当該回動は、上述したストッパによって規制される。これにより、ローラホルダ８５は、所定位置よりも後方へ移動すると、内側ガイド部材１９から離間する（図５参照）。
【００６７】
外側ガイド部材１８は、更に第２位置へ向けて回動されることによって第２位置へ到達する（図６参照）。このとき、ローラホルダ８５は図６に破線で示される第５位置であり、ピンチローラ６１は搬送ローラ６０から離間した状態であり、当接部材４１は搬送路６５から離間した状態である。この状態において、ローラホルダ８５は、図６に実線で示される第４位置へ向けて矢印９７の向きへ回動可能である。
【００６８】
外側ガイド部材１８が第２位置であり且つローラホルダ８５が第４位置の状態（図６参照）から、外側ガイド部材１８が第１位置へ回動される場合、最初に、ローラホルダ８５が第４位置から第５位置へ向けて矢印９７と逆向きに回動される。
【００６９】
次に、外側ガイド部材１８が第１位置へ向けて矢印９１の方向に回動されると、突起７５がガイドレール５６の後屈曲部５３に当接して押圧する。これにより、突起７５は、後屈曲部５３から反作用の力を受ける。当該反作用の力によって、コイルばね７３が縮む。これにより、係合部材７４が下方に移動して、突起７５がガイドレール５６の下面９８と当接する（図５参照）。その結果、係合部材７４は、ガイドレール５６と内側ガイド部材１９の間から筐体１４の内部へ進入する。
【００７０】
ローラホルダ８５の下面９６は、上記の所定位置よりも前方へ移動すると、内側ガイド部材１９と当接する。以後、ローラホルダ８５は、内側ガイド部材１９の搬送路６５側の面に沿って案内される（図４参照）。
【００７１】
外側ガイド部材１８が第１位置へ向けて更に矢印９１の方向に回動されると、図２に示されるように、第１位置に到達する。このとき、突起７５がガイドレール５６の開口７６に挿入されて、ローラホルダ８５が第３位置となる。ローラホルダ８５が第３位置のとき、ピンチローラ６１は搬送ローラ６０と当接しており、当接部材４１は、搬送向き１５へ搬送される記録用紙に上方から当接可能である。
【００７２】
上述の実施形態では、本発明の第２ガイド部材の一例として、ローラホルダ８５が挙げられたが、本発明の第２ガイド部材は、ローラホルダ８５に限らない。例えば、本発明の第２ガイド部材は、図７に示されるように、外側ガイド部材１８より搬送向き１５の下流側に設けられたガイド部材８６であってもよい。
【００７３】
ガイド部材８６は、ローラホルダ８５と同様に、外側ガイド部材１８が図７に示される第１位置のときに、湾曲部分３３及び延出部分３４の一部を規定する。一方で、ガイド部材８６は、ローラホルダ８５とは異なり、ピンチローラ６１や当接部材４１を支持していない。なお、図７，８において、当接部材４１の図示は、省略されている。
【００７４】
ガイド部材８６は、ローラホルダ８５と同様に、後端部に設けられた軸９４が外側ガイド部材１８に支持されることによって、外側ガイド部材１８と連結されている。これにより、ガイド部材８６は、外側ガイド部材１８が図８に示される第２位置のときに、軸９４を中心として矢印９５の方向に回動可能である。なお、図７に示されるように、外側ガイド部材１８が第１位置のとき、ガイド部材８６の上方にガイドレール５６が存在するため、ガイド部材８６の回動は、ガイドレール５６によって規制される。
【００７５】
［実施形態の効果］
本実施形態によれば、外側ガイド部材１８が第１位置であり、かつローラホルダ８５が第３位置であるときに、給送位置から記録部２４へ連続する搬送路６５が規定される。外側ガイド部材１８が第２位置であるときに、搬送路６５の湾曲部分３３が開放される。ローラホルダ８５が第４位置であるときに、外側ガイド部材１８の湾曲部分３３の外側へローラホルダ８５が延出するので、外側ガイド部材１８の回動先端側が大きく開放される。これにより、開放された搬送路６５へのアクセスが容易となる。
【００７６】
また、本実施形態によれば、外側ガイド部材１８が第２位置であるときに、搬送路６５の湾曲部分３３が開放されるとともに、搬送ローラ６０とピンチローラ６１とのニップが解除される。
【００７７】
また、本実施形態によれば、湾曲部分３３が給送トレイ２０から上方へ延びているため、給送トレイ２０から記録部２４までの搬送路６５が、外側ガイド部材１８及びローラホルダ８５によって開放可能となる。
【００７８】
また、本実施形態によれば、給送トレイ２０が筐体１４の下側に配置されており、筐体１４の下側より下方に外側ガイド部材１８が回動できないときであっても、ローラホルダ８５が第４位置であるときに搬送路６５の大部分が大きく開放される。
【００７９】
また、本実施形態によれば、外側ガイド部材１８が筐体１４の側壁９２を有するため、外側ガイド部材１８が第２位置であるときに、筐体１４の側壁９２側から搬送路６５へアクセス可能となる。
【００８０】
また、本実施形態によれば、筐体１４がローラホルダ８５の上方を覆う上壁を有することによってローラホルダ８５の上方が開放されない構成においても、側壁９２側から搬送路６５へアクセス可能なる。
【００８１】
また、本実施形態によれば、外側ガイド部材１８が第２位置であるときに、搬送路６５の湾曲部分３３が開放されるとともに、当接部材４１が搬送路６５から離間される。
【符号の説明】
【００８２】
１０・・・複合機
１１・・・プリンタ部（画像記録装置））
１４・・・筐体
１５・・・搬送向き
１８・・・外側ガイド部材（第１ガイド部材）
２４・・・記録部
３０・・・ガイド部材
３３・・・湾曲部分
３４・・・延出部分
６５・・・搬送路
８５・・・ローラホルダ（第２ガイド部材）
【図１】
2015196548.tif 000003
【図２】
2015196548.tif 000004
【図３】
2015196548.tif 000005
【図４】
2015196548.tif 000006
【図５】
2015196548.tif 000007
【図６】
2015196548.tif 000008
【図７】
2015196548.tif 000009
【図８】
2015196548.tif 000010